(57)【要約】【課題】本発明は、農業用ビニールハウスを改良した温室内において、ベルトコンベヤー上で搬送されるおが粉を日中は主に太陽熱により、夜間は木質燃料の燃焼熱によって連続的に乾燥させる連続式太陽熱おが粉乾燥装置を提供することを目的とする。【解決手段】東西が長手方向となり、南北が短手方向となるようにコンクリート土間３に床暖パネルＦＨを敷き、その上に二重透明フイルム１で覆われた透明ビニールハウス２を建設し、室内にベルトコンベヤー４及びベルトコンベヤー５の二列のベルトコンベヤーを走らせ、この上におが粉を投入ホッパーＳから均一厚さに供給してゆっくり搬送する。その際、二重透明フイルム１上部からの日射及び天井ふく射パネル６からの蒸気加熱のふく射を直接的におが粉に照射させ、一方、温められた室内空気を室内ファンＦ２で対流させて温風にし、間接的におが粉を乾燥させ、ベルトコンベヤー４から受けホッパーＲで回収する。【選択図】図１
2007285662.tif 000002
【特許請求の範囲】
【請求項１】
二重透明フイルムにより蒲鉾型の透明ビニールハウスを東西方向に設置し、該透明ビニールハウス床面の床暖パネルの上方に、前記透明ビニールハウスの長手方向に沿って２列並列にベルトコンベヤーを設置し、西側には一方のベルトコンベヤーの終端側となる受けホッパーと他方のベルトコンベヤーの始端側となる投入ホッパーを設け、東側には前記他方のベルトコンベヤーの終端側でおが粉を移し替えするおが粉受けフィーダーと、一方のベルトコンベヤーの始端側へおが粉を移し替えするおが粉受けフィーダーと、二つの前記おが粉受けフィーダー間を連繋する切り返しターンテーブルを設け、また前記投入ホッパーを前記受けホッパーより高位に設け、前記一方のベルトコンベヤーと前記他方のベルトコンベヤーをそれぞれ逆傾斜に配置し、重力と回転力を利用して前記切り返しターンテーブルから移し替え、その際混合作用を行わせるように形成したことを特徴とする連続式太陽熱おが粉乾燥装置。
【請求項２】
一方のベルトコンベヤーの天井位置には、一方のベルトコンベヤーにて搬送されるおが粉にふく射を放射する天井ふく射パネルを設け、他方のベルトコンベヤー側には二重透明フイルムを透過した直射日射を他方のベルトコンベヤーに直接照射させるほか、それた日射は他方のベルトコンベヤーへ反射するように傾斜させた反射板を透明ビニールハウス長手方向に沿って設けたことを特徴とする請求項１記載の連続式太陽熱おが粉乾燥装置。
【発明の詳細な説明】
【技術分野】
【０００１】
本発明は、農業用ビニールハウスを改良した温室内において、ベルトコンベヤー上で搬送されるおが粉を日中は主に太陽熱により、夜間は木質燃料の燃焼熱によって連続的に乾燥させる連続式太陽熱おが粉乾燥装置に関する。
【背景技術】
【０００２】
従来、おが粉など木質材料を木質ペレットに燃料化して用いる際に、木質ペレットに加工するにはおが粉の水分が製品の善し悪しにつながり、おが粉の乾燥が重要な工程である。
生のおが粉を乾燥するには大量の熱量を要し、現在石油を燃やして乾燥している。
従来技術の特徴
１)ロータリキルン式（バッチ式）
イ、機器設備費大、ロ、直下火（高温）は火災の危険、ハ、燃料費、電力費嵩む、ニ、大規模向き、ホ、製品のむら少ない。
２）吸引式（バッチ式）
イ、機器設備費大、ロ、おが粉ダストの発生、ハ、燃料費、電力費嵩む、ニ、大規模向き、ホ、製品のむら少ない。
その他に、汚泥やおから等のような水分率の高い物質を、太陽熱の蒸発作用と繊維質の搬送帯の毛管作用による脱水作用により、低コストで、補助燃料を用いることなく、乾燥する乾燥装置が知られている（特許文献１を参照）。
この公知技術は、太陽熱による温室内に、繊維質素材のコンベヤベルトを備えたベルトコンベヤーから成る乾燥台を設置し、該乾燥台に始端には汚泥等の水分率の高い物質の供給ホッパーを臨ましめると共に、前記乾燥台の終端付近には被乾燥物の受け箱を設置し、前記乾燥台の下方には透過液受け皿を配設した乾燥装置である。
【０００３】
【特許文献１】特開平５−１８５０９８号公報
【発明の開示】
【発明が解決しようとする課題】
【０００４】
本発明は、農業用ビニールハウスを改良した温室内において、ベルトコンベヤー上で搬送されるおが粉を日中は主に太陽熱により、夜間は木質燃料の燃焼熱によって連続的に乾燥させる連続式太陽熱おが粉乾燥装置を提供することを目的とする。
【課題を解決するための手段】
【０００５】
本発明の連続式太陽熱おが粉乾燥装置は、二重透明フイルムにより蒲鉾型の透明ビニールハウスを東西方向に設置し、該透明ビニールハウス床面の床暖パネルの上方に、前記透明ビニールハウスの長手方向に沿って２列並列にベルトコンベヤーを設置し、西側には一方のベルトコンベヤーの終端側となる受けホッパーと他方のベルトコンベヤーの始端側となる投入ホッパーを設け、東側には前記他方のベルトコンベヤーの終端側でおが粉を移し替えするおが粉受けフィーダーと、一方のベルトコンベヤーの始端側へおが粉を移し替えするおが粉受けフィーダーと、二つの前記おが粉受けフィーダー間を連繋する切り返しターンテーブルを設け、また前記投入ホッパーを前記受けホッパーより高位に設け、前記一方のベルトコンベヤーと前記他方のベルトコンベヤーをそれぞれ逆傾斜に配置し、重力と回転力を利用して前記切り返しターンテーブルから移し替え、その際混合作用を行わせるように形成したものである。
さらに、一方のベルトコンベヤーの天井位置には、一方のベルトコンベヤーにて搬送されるおが粉にふく射を放射する天井ふく射パネルを設け、他方のベルトコンベヤー側には二重透明フイルムを透過した直射日射を他方のベルトコンベヤーに直接照射させるほか、それた日射は他方のベルトコンベヤーへ反射するように傾斜させた反射板を透明ビニールハウス長手方向に沿って設けたものである。
【発明の効果】
【０００６】
本発明の連続式太陽熱おが粉乾燥装置は、農業用ビニールハウスを改良した温室内において、ベルトコンベヤー上で搬送されるおが粉を日中は主に太陽熱により、夜間は木質燃料の燃焼熱によって連続的に乾燥させるので、イ、機器設備費小、ロ、補助燃料少ない、ハ、電気代安い、ニ、中・小規模向き、ホ、製品のむらやや有り、ヘ、太陽熱と木質燃料燃焼熱による脱石油技術などの特徴を発揮する。
本発明の連続式太陽熱おが粉乾燥装置は、透明ビニールハウス内には南北向きに合計４個の室内ファンを設け、温風の循環による対流乾燥を促進する。
さらに、西側と東側の棟部にファンをそれぞれ１個設置して、湿潤空気の排出作用を行って乾燥を補助し、温風による対流と日射及び天井ふく射パネルによるふく射の両面で乾燥を行うことができる。
さらに、本発明の連続式太陽熱おが粉乾燥装置は、透明ビニールハウス内を温度４０℃に維持するよう、床面には床暖パネルを設置して温水により補助的に暖房を行い、コンクリート床は外断熱により駆体蓄熱作用と断熱作用をもたせてあるため、乾燥を促進させることができる。
【発明を実施するための最良の形態】
【０００７】
本発明の連続式太陽熱おが粉乾燥装置の一実施例を図面に基づいて、以下に説明する。
図１の正面図に示す二重透明フイルム１は、透明フイルムと透明フイルムの間に間隙空間を形成した二枚重ねの透明フイルムからなり、前記二重透明フイルム１で農業用ビニールハウスを改良した透明ビニールハウス２を東西が長手方向となり、南北が短手方向となる蒲鉾型に形成する。
前記透明ビニールハウス２の床面は、地面を掘削して形成した凹部に断熱材を介して長手方向中央部に床暖パネルＦＨを設置してコンクリート土間３を打設したものである。
前記床暖パネルＦＨは、温水ボイラーＢＷからの温水により補助的に暖房を行い、コンクリート土間３は外断熱により駆体蓄熱作用と断熱作用を持たせている。
前記透明ビニールハウス２内の前記床暖パネルＦＨの上方に、前記透明ビニールハウス２の長手方向に沿って水平２列にベルトコンベヤー４、５を設置する。
前記一方のベルトコンベヤー４の上方天井位置には、蒸気ボイラーＢＳからの蒸気により加熱される天井ふく射パネル６を長手方向に設け、該天井ふく射パネル６が前記ベルトコンベヤー４にて搬送されるおが粉にふく射を放射し、ふく射乾燥をする。
前記他方のベルトコンベヤー５の透明ビニールハウス２中央部側には、二重透明フイルム１の屋根及び南面を透過した日射を前記ベルトコンベヤー５側へ反射するように傾斜させた反射板７を長手方向に沿って設ける。
なお、ＴＲは温度センサー、ＨＲは湿度センサー、ＢＳは蒸気ボイラー、ＢＷは温水ボイラー、ＰＷは温水ポンプ、ＶＷは電磁弁、ＧＬは地面である。
【０００８】
図２の平面図に示すように、前記透明ビニールハウス２の出入口側（以下、「西側」という。）には、一方のベルトコンベヤー４の終端側となる受けホッパーＲと、他方のベルトコンベヤー５の始端側となる投入ホッパーＳとを設け、前記透明ビニールハウス２の出入口とは反対側（以下、「東側」という。）には、前記他方のベルトコンベヤー５の終端側と一方のベルトコンベヤー４の始端側とを連繋する切り返しターンテーブル８を設ける。
前記切り返しターンテーブル８は、他方のベルトコンベヤー５から一方のベルトコンベヤー４へおが粉を移し替えする。
図２、３に示すように、前記ベルトコンベヤー４と前記ベルトコンベヤー５間の上方天井部の長手方向に沿って室内ファンＦ２−１〜Ｆ２−４を南北向きに合計４個設置して、室内の高温の空気をゆっくり循環させて、おが粉の対流乾燥を行う。
図２、３に示すように、前記透明ビニールハウス２の西側と東側の棟部にシャッター付きの換気ファンＦ１−１、Ｆ１−２をそれぞれ１個合計２個設置して、湿潤空気の排出作用を行う。
なお、ＴＰは天井ふく射パネル温度センサーである。
【０００９】
図３の左側面図に示すように、西側に前記投入ホッパーＳを前記受けホッパーＲより高位に設けると共に東側におが粉受けフィーダー９、９をそれぞれ設け、前記ベルトコンベヤー４と前記ベルトコンベヤー５とを逆方向の傾斜配置に設ける。
図４の平面図に示すように、前記ベルトコンベヤー５から前記おが粉受けフィーダー９を介して前記切り返しターンテーブル８へ重力と回転力を利用して移し替え、さらに前記切り返しターンテーブル８のスクレーパー１０によっておが粉受けフィーダー９を介して前記ベルトコンベヤー４へ移し替える際に混合作用を行わせるように形成する。
また、前記ベルトコンベヤー４の上方天井位置には、前記ベルトコンベヤー４にて搬送されるおが粉にふく射を放射する天井ふく射パネル６を設ける。
図５の（ａ）正面図、（ｂ）下面図に示すように、前記天井ふく射パネル６は蒸気ボイラーＢＳからの蒸気をヘッダー１１で分配し、２本の黒色塗装をしたスチールパイプ１２へ供給し、ヘッダー１１で集合して前記蒸気ボイラーＢＳへ戻すように構成し、前記スチールパイプ１２の天井側裏面には黒色塗装をしたスチール板１３を添設する。
なお、１４はひれ板、１５はユニオンまたはフランジである。
【００１０】
次に、本発明の連続式太陽熱おが粉乾燥装置の操作動作を図面に基づいて、以下に説明する。
図１〜図３において、東西が長手方向となり、南北が短手方向となるようにコンクリート土間３に床暖パネルＦＨを敷き、その上に二重透明フイルム１で覆われた透明ビニールハウス２を建設し、室内にベルトコンベヤー４及びベルトコンベヤー５の二列のベルトコンベヤーを走らせ、この上におが粉を投入ホッパーＳから均一厚さに供給してゆっくり搬送する。
その際、二重透明フイルム１上部からの日射及び天井ふく射パネル６からの蒸気加熱のふく射を直接的におが粉に照射させ、一方、温められた室内空気を室内ファンＦ２で対流させて温風にし、間接的におが粉を乾燥させ、ベルトコンベヤー４から受けホッパーＲで回収する。
【００１１】
次に、本発明の連続式太陽熱おが粉乾燥装置の制御動作を図面に基づいて、以下に説明する。
図１に示すように、天井ふく射パネル６の熱源は蒸気ボイラーＢＳからの蒸気（１５０℃、５kg/cm2）で供給され、天井ふく射パネル６への供給はその表面温度ＴＰ=１４０℃でＯＮ-ＯＦＦする電磁弁ＶＭで制御され、おが粉のふく射乾燥を行う。
床暖パネルＦＨへは温水ボイラーＢＷからの温水（６０〜７０℃）で供給され、室温センサーＴＲ=４０℃でＯＮ-ＯＦＦする温水ポンプＰＷで制御され、おが粉のふく射乾燥及び対流乾燥を行う。
おが粉乾燥時に発生する水分によって湿り空気となった室内空気は、冬期、春期には、湿度センサーＨＲ=２５％で換気ファンＦ１−２がＯＮ、ＨＲ=３０％で換気ファンＦ１−１がＯＮとなり、室内湿り空気を排出する。
湿度センサーＨＲ≦２０％でＦ１−１及びＦ１−２がＯＦＦとなり換気は停止される。
一方、太陽熱、天井ふく射パネル６及び床暖パネルＦＨからの対流放熱で温度が上がった室内空気は、室内温度ＴＲ≧４０℃で４個の室内ファンＦ２−１〜Ｆ２−４がＯＮとなり、室内の高温の空気をゆっくり循環させて、おが粉の対流乾燥を行う。
【００１２】
乾燥の工程；上記連続式太陽熱おが粉乾燥装置の作動により、投入ホッパーＳから供給された生おが粉（含水率約３０％）は１０mのベルトコンベヤー５で移送される間に、二重透明フイルム１を透過した直達日射の太陽熱を受けてふく射乾燥され、半生おが粉（２０%程度）となっておが粉受けフィーダー９に一旦受け取られる。
半生おが粉は切り返しターンテーブル８で方向転換され、もう一つのおが粉受けフィーダー９に移された後、１０mのベルトコンベヤー４に移され、移送中に天井ふく射パネル６から放射されるふく射でふく射乾燥されて、乾燥おが粉（１０〜１２％）となって受けホッパーＲに回収される。
その間、同時に高温の乾燥空気を室内ファンＦ２−１〜Ｆ２−４で循環させ対流乾燥も進行する。
【００１３】
おが粉乾燥量；幅０．５m、長さ１０mの２本のベルトコンベヤーが１０m/h（=０．１６７m/min）の超スロースピードで回転し、その上におが粉が０．０５mの均一厚さの帯状になって移送される。
おが粉搬送量は０．２５m3/hであり、質量密度２５０kg/m3とすると、おが粉乾燥量は６２．５kg/hとなる。
【図面の簡単な説明】
【００１４】
【図１】本発明の連続式太陽熱おが粉乾燥装置の概略正面図である。
【図２】本発明の連続式太陽熱おが粉乾燥装置の概略平面図である。
【図３】本発明の連続式太陽熱おが粉乾燥装置の概略左側面図である。
【図４】おが粉切り返しターンテーブルの拡大平面図である。
【図５】天井ふく射パネルの（ａ）正面図、（ｂ）下面図である。
【符号の説明】
【００１５】
１  二重透明フイルム
２  透明ビニールハウス
３  コンクリート土間
４  ベルトコンベヤー（戻り）
５  ベルトコンベヤー（往き）
６  天井ふく射パネル
７  反射板
８  切り返しターンテーブル
９  おが粉受けフィーダー
１０  スクレーパー
１１  ヘッダー
１２  スチールパイプ
１３  スチール板
１４  ひれ板
１５  ユニオンまたはフランジ
【図１】
2007285662.tif 000003
【図２】
2007285662.tif 000004
【図３】
2007285662.tif 000005
【図４】
2007285662.tif 000006
【図５】
2007285662.tif 000007
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
二重透明フイルムにより覆われた蒲鉾型の透明ビニールハウスの地面を掘削して形成した凹部に断熱材を介して床暖パネルを設置してコンクリート土間を打設して前記透明ビニールハウスを東西方向に配置し、前記透明ビニールハウスの長手方向に沿って２列並列に東側から西側へ上り傾斜となる戻りのベルトコンベヤーと西側から東側へ上り傾斜となる往きのベルトコンベヤーをそれぞれ配置し、西側には戻りのベルトコンベヤーの終端側となる乾燥おが粉の受けホッパーと往きのベルトコンベヤーの始端側となる生おが粉の投入ホッパーを設けると共に前記生おが粉の投入ホッパーを前記乾燥おが粉の受けホッパーより高位に設け、東側には前記往きのベルトコンベヤーの終端側に半生おが粉を重力を利用して移し替えするおが粉受けフィーダーを設けると共に前記戻りのベルトコンベヤーの始端側に半生おが粉を重力を利用して移し替えするおが粉受けフィーダーを設け、前記往きのベルトコンベヤー側のおが粉フィーダーを戻りのベルトコンベヤー側のおが粉フィーダーより高位に設け、前記往きのベルトコンベヤー側のおが粉フィーダーと戻りのベルトコンベヤー側のおが粉フィーダー間を連繋する切り返しターンテーブルを設け、半生おが粉を重力と回転力を利用して前記切り返しターンテーブルから移し替え、その際半生おが粉の撹拌作用を行わせるようにしたことを特徴とする連続式太陽熱おが粉乾燥装置。
【請求項２】
前記戻りのベルトコンベヤーの天井位置には、戻りのベルトコンベヤーにて搬送されるおが粉にふく射を放射する天井ふく射パネルを設け、往きのベルトコンベヤー側には二重透明フイルムを透過した直射日射を往きのベルトコンベヤーに直接照射させるほか、それた日射は往きのベルトコンベヤーへ反射するように傾斜させた反射板を透明ビニールハウス長手方向に沿って設けたことを特徴とする連続式太陽熱おが粉乾燥装置。
【手続補正２】
【補正対象書類名】明細書
【補正対象項目名】０００５
【補正方法】変更
【補正の内容】
【０００５】
本発明の太陽熱パッシブ利用木材乾燥装置は、二重透明フイルムにより覆われた蒲鉾型の透明ビニールハウスの地面を掘削して形成した凹部に断熱材を介して床暖パネルを設置してコンクリート土間を打設して前記透明ビニールハウスを東西方向に配置し、前記透明ビニールハウスの長手方向に沿って２列並列に東側から西側へ上り傾斜となる戻りのベルトコンベヤーと西側から東側へ上り傾斜となる往きのベルトコンベヤーをそれぞれ配置し、西側には戻りのベルトコンベヤーの終端側となる乾燥おが粉の受けホッパーと往きのベルトコンベヤーの始端側となる生おが粉の投入ホッパーを設けると共に前記生おが粉の投入ホッパーを前記乾燥おが粉の受けホッパーより高位に設け、東側には前記往きのベルトコンベヤーの終端側に半生おが粉を重力を利用して移し替えするおが粉受けフィーダーを設けると共に前記戻りのベルトコンベヤーの始端側に半生おが粉を重力を利用して移し替えするおが粉受けフィーダーを設け、前記往きのベルトコンベヤー側のおが粉フィーダーを戻りのベルトコンベヤー側のおが粉フィーダーより高位に設け、前記往きのベルトコンベヤー側のおが粉フィーダーと戻りのベルトコンベヤー側のおが粉フィーダー間を連繋する切り返しターンテーブルを設け、半生おが粉を重力と回転力を利用して前記切り返しターンテーブルから移し替え、その際半生おが粉の撹拌作用を行わせるようにしたものである。
さらに、前記戻りのベルトコンベヤーの天井位置には、戻りのベルトコンベヤーにて搬送されるおが粉にふく射を放射する天井ふく射パネルを設け、往きのベルトコンベヤー側には二重透明フイルムを透過した直射日射を往きのベルトコンベヤーに直接照射させるほか、それた日射は往きのベルトコンベヤーへ反射するように傾斜させた反射板を透明ビニールハウス長手方向に沿って設けたものである。
【手続補正３】
【補正対象書類名】明細書
【補正対象項目名】０００７
【補正方法】変更
【補正の内容】
【０００７】
本発明の連続式太陽熱おが粉乾燥装置の一実施例を図面に基づいて、以下に説明する。
図１の正面図に示す二重透明フイルム１は、透明フイルムと透明フイルムの間に間隙空間を形成した二枚重ねの透明フイルムからなり、前記二重透明フイルム１で農業用ビニールハウスを改良した透明ビニールハウス２を東西が長手方向となり、南北が短手方向となる蒲鉾型に形成する。
前記透明ビニールハウス２の床面は、地面を掘削して形成した凹部に断熱材を介して長手方向中央部に床暖パネルＦＨを設置してコンクリート土間３を打設したものである。
前記床暖パネルＦＨは、温水ボイラーＢＷからの温水により補助的に暖房を行い、コンクリート土間３は外断熱により駆体蓄熱作用と断熱作用を持たせている。
前記透明ビニールハウス２内の前記床暖パネルＦＨの上方に、前記透明ビニールハウス２の長手方向に沿って水平２列にベルトコンベヤー４、５を設置する。
前記戻りのベルトコンベヤー４の上方天井位置には、蒸気ボイラーＢＳからの蒸気により加熱される天井ふく射パネル６を長手方向に設け、該天井ふく射パネル６が前記ベルトコンベヤー４にて搬送されるおが粉にふく射を放射し、ふく射乾燥をする。
前記往きのベルトコンベヤー５の透明ビニールハウス２中央部側には、二重透明フイルム１の屋根及び南面を透過した日射を前記ベルトコンベヤー５側へ反射するように傾斜させた反射板７を長手方向に沿って設ける。
なお、ＴＲは温度センサー、ＨＲは湿度センサー、ＢＳは蒸気ボイラー、ＢＷは温水ボイラー、ＰＷは温水ポンプ、ＶＷは電磁弁、ＧＬは地面である。
【手続補正４】
【補正対象書類名】明細書
【補正対象項目名】０００８
【補正方法】変更
【補正の内容】
【０００８】
図２の平面図に示すように、前記透明ビニールハウス２の出入口側（以下、「西側」という。）には、戻りのベルトコンベヤー４の終端側となる受けホッパーＲと、往きのベルトコンベヤー５の始端側となる投入ホッパーＳとを設け、前記透明ビニールハウス２の出入口とは反対側（以下、「東側」という。）には、前記往きのベルトコンベヤー５の終端側と戻りのベルトコンベヤー４の始端側とを連繋する切り返しターンテーブル８を設ける。
前記切り返しターンテーブル８は、往きのベルトコンベヤー５から戻りのベルトコンベヤー４へおが粉を移し替えする。
図２、３に示すように、前記ベルトコンベヤー４と前記ベルトコンベヤー５間の上方天井部の長手方向に沿って室内ファンＦ２−１〜Ｆ２−４を南北向きに合計４個設置して、室内の高温の空気をゆっくり循環させて、おが粉の対流乾燥を行う。
図２、３に示すように、前記透明ビニールハウス２の西側と東側の棟部にシャッター付きの換気ファンＦ１−１、Ｆ１−２をそれぞれ１個合計２個設置して、湿潤空気の排出作用を行う。
なお、ＴＰは天井ふく射パネル温度センサーである。
【手続補正５】
【補正対象書類名】明細書
【補正対象項目名】０００９
【補正方法】変更
【補正の内容】
【０００９】
図３の左側面図に示すように、西側に前記投入ホッパーＳを前記受けホッパーＲより高位に設けると共に東側におが粉受けフィーダー９、９をそれぞれ設け、前記ベルトコンベヤー４と前記ベルトコンベヤー５とを逆方向の傾斜配置に設ける。
図４の平面図に示すように、前記ベルトコンベヤー５から前記おが粉受けフィーダー９を介して前記切り返しターンテーブル８へ重力と回転力を利用して移し替え、さらに前記切り返しターンテーブル８のスクレーパー１０によっておが粉受けフィーダー９を介して前記ベルトコンベヤー４へ移し替える際に撹拌作用を行わせるように形成する。
また、前記ベルトコンベヤー４の上方天井位置には、前記ベルトコンベヤー４にて搬送されるおが粉にふく射を放射する天井ふく射パネル６を設ける。
図５の（ａ）正面図、（ｂ）下面図に示すように、前記天井ふく射パネル６は蒸気ボイラーＢＳからの蒸気をヘッダー１１で分配し、２本の黒色塗装をしたスチールパイプ１２へ供給し、ヘッダー１１で集合して前記蒸気ボイラーＢＳへ戻すように構成し、前記スチールパイプ１２の天井側裏面には黒色塗装をしたスチール板１３を添設する。
なお、１４はひれ板、１５はユニオンまたはフランジである。
【手続補正６】
【補正対象書類名】明細書
【補正対象項目名】００１５
【補正方法】変更
【補正の内容】
【００１５】
１  二重透明フイルム
２  透明ビニールハウス
３  コンクリート土間
４  戻りのベルトコンベヤー
５  往きのベルトコンベヤー
６  天井ふく射パネル
７  反射板
８  切り返しターンテーブル
９  おが粉受けフィーダー
１０  スクレーパー
１１  ヘッダー
１２  スチールパイプ
１３  スチール板
１４  ひれ板
１５  ユニオンまたはフランジ
【手続補正書】
【提出日】平成18年11月16日(2006.11.16)
【手続補正１】
【補正対象書類名】特許請求の範囲
【補正対象項目名】請求項２
【補正方法】変更
【補正の内容】
【請求項２】
前記戻りのベルトコンベヤーの天井位置には、戻りのベルトコンベヤーにて搬送されるおが粉にふく射を放射する天井ふく射パネルを設け、往きのベルトコンベヤー側には二重透明フイルムを透過した直射日射を往きのベルトコンベヤーに直接照射させるほか、それた日射は往きのベルトコンベヤーへ反射するように傾斜させた反射板を透明ビニールハウス長手方向に沿って設けたことを特徴とする請求項１記載の連続式太陽熱おが粉乾燥装置。